(57)【要約】【課題】  同じ目地部材でも目地幅を変えることができ、しかも経年でも目隙が生じないようにできる目地構造を提供する。【解決手段】  壁下地４の外面に外装材５を貼ると共に隣り合う外装材５の側端間に目地隙間７を隔てる。外装材５の目地隙間７に臨む側端面６を表面側から裏面側に向けて目地隙間７が広くなるようにする傾斜面とする。目地隙間７内に目地隙間７の長手方向に亙って目地部材１を配設すると共に目地部材７の両側を外装材５の傾斜した側端面６に弾接する。【選択図】        図１
2005133294.tif 000002
【特許請求の範囲】
【請求項１】
壁下地の外面に外装材を貼ると共に隣り合う外装材の側端間に目地隙間を隔て、外装材の目地隙間に臨む側端面を表面側から裏面側に向けて目地隙間が広くなるようにする傾斜面とし、目地隙間内に目地隙間の長手方向に亙って目地部材を配設すると共に目地部材の両側を外装材の傾斜した側端面に弾接して成ることを特徴とする目地構造。
【請求項２】
目地部材が壁下地に固定するベース材とベース材に取り付ける目地材本体とからなり、目地材本体から裏面側に突設した脚部をベース材の受け溝に挿入してベース材に目地材本体を取り付け、目地材本体を押して脚部を受け溝に押し込んだとき目地材本体を両側に広げる拡張片を脚部に設けたことを特徴とする請求項１記載の目地構造。
【請求項３】
脚部に複数個の係止突起を脚部の突出する方向に設けると共に受け溝に上記複数の係止突起のうち適宜の係止突起を係止し得る被係止突起を設けたことを特徴とする請求項２記載の目地構造。
【発明の詳細な説明】
【技術分野】
【０００１】
本発明は、壁下地の外面に外装材を貼ったとき隣り合う外装材間の目地を仕舞う目地構造に関するものである。
【背景技術】
【０００２】
従来、壁下地の外面に外装材を貼ったとき隣り合う外装材間の目地を仕舞う構造の代表的なものとして図７に示すもの（例えば、特許文献１、特許文献２参照）、や図８に示すものがあった。
【０００３】
図７に示すものでは目地部材１′がベース材２′とベース材２′に取り付ける目地材本体３′とで構成されており、ベース材２′を壁下地４の外面側に取り付けた状態で壁下地４の外面に外装材５が貼られ、隣り合う外装材５の側端面６′間に目地隙間７が形成され、目地隙間７に目地材本体３′が圧入されて目地材本体３′の脚部８′がベース材２′の受け溝９′に挿入されて固定され、目地材本体３′の両側が外装材５の側端面６′に弾接されている。
【０００４】
図８に示すものでは目地部材１″がベース部２″と目地材本体部３″とを一体に設けて形成されており、目地部材１″を壁下地４の外面に取り付けた状態で壁下地４の外面に外装材５が貼られ、隣り合う外装材５の側端面６′間に目地隙間７が形成され、目地隙間７内に位置する目地材本体部３″の両側が外装材５の側端面６′に弾接されている。
【特許文献１】特開２００３−６４７８９号公報
【特許文献２】特開２００２−８８９３６号公報
【発明の開示】
【発明が解決しようとする課題】
【０００５】
ところが、上記図７に示す従来例のものでは外装材５の側端面６′が表面や裏面に対して垂直な面であるために間に介装する目地部材１′に応じた所定の目地幅Ｗ（例えば１０ｍｍ）にしか施工できず、施工するときの初期の目地幅Ｗを変えることができない。また施工した直後には図７（ａ）に示すように外装材５の表面や裏面に対して垂直な側端面６′間の目地幅Ｗが所定幅（例えば１０ｍｍ）になるように施工されるが、経年により外装材５が縮んだりして図７（ｂ）のように隣り合う外装材５の側端面６′の間隔が広くなると目隙Ｓ（図７のＢ部）が生じるという問題がある。
【０００６】
また図８に示す従来例のものでも外装材５の側端面６′が表面や裏面に対して垂直な面であるために間に介装する目地部材１″に応じた所定の目地幅Ｗ（例えば１０ｍｍ）にしか施工できず、施工するときの初期の目地幅Ｗを変えることができない。また施工した直後には図８（ａ）に示すように外装材５の表面や裏面に対して垂直な側端面６′間の目地幅Ｗが所定幅（例えば１０ｍｍ）になるように施工されるが、経年により外装材５が縮んだりして図８（ｂ）のように隣り合う外装材５の側端面６′の間隔が広くなると目隙Ｓ（図８のＣ部）が生じるという問題がある。また図８に示す従来例のものでは、施工した直後でも外装材５の側端面６′の一部が見え（図８のＤ部）、施工直後の仕上がりのばらつきがあるという問題があり、また外装材５の側端面６′が露出すために外装材の側端面６′にも防水処理が必要であるという問題がある。
【０００７】
本発明は上記の従来の問題点に鑑みて発明したものであって、同じ目地部材でも目地幅を変えることができ、しかも経年でも目隙が生じないようにできる目地構造を提供することを課題とするものである。
【課題を解決するための手段】
【０００８】
上記課題を解決するために本発明に係る目地構造は、壁下地４の外面に外装材５を貼ると共に隣り合う外装材５の側端間に目地隙間７を隔て、外装材５の目地隙間７に臨む側端面６を表面側から裏面側に向けて目地隙間７が広くなるようにする傾斜面とし、目地隙間７内に目地隙間７の長手方向に亙って目地部材１を配設すると共に目地部材１の両側を外装材５の傾斜した側端面６に弾接して成ることを特徴とする。外装材５の側端面６を傾斜面として目地部材７の両側を弾接させる構造のために目地幅が多少変わっても目地部材１の両側を弾接させることができ、同じ目地部材１を使用しても目地幅を変えることができ、また経年により隣り合う外装材５の側端面６の間の間隔が広くなっても目地部材１の両側を側端面６に弾接させることができて経年でも目隙が生じないようにできる。
【０００９】
また目地部材１が壁下地４に固定するベース材２とベース材２に取り付ける目地材本体３とからなり、目地材本体３から裏面側に突設した脚部８をベース材２の受け溝９に挿入してベース材２に目地材本体３を取り付け、目地材本体３を押して脚部８を受け溝９に押し込んだとき目地材本体３を両側に広げる拡張片１０を脚部８に設けたことを特徴とすることも好ましい。経年により隣り合う外装材５の側端面６間の間隔が広くなっても目地材本体３を押し込むことで拡張片１０にて目地材本体３が両側に広がり、目地材本体３の両側が外装材５の側端面６に確実に弾接し、経年による目隙を一層確実に防止できる。
【００１０】
また脚部８に複数個の係止突起１１を脚部８の突出する方向に設けると共に受け溝９に上記複数の係止突起１１のうち適宜の係止突起１１を係止し得る被係止突起１２を設けたことを特徴とすることも好ましい。脚部８を受け溝９に挿入して目地材本体３をベース材２に取り付けたとき、脚部８を受け溝９に挿入する深さが変わっても適宜の係止突起１１と被係止突起１２とを係止して所望の状態に目地材本体３を保持できる。
【発明の効果】
【００１１】
本発明は、外装材の側端面を傾斜面として目地部材の両側を弾接させる構造のために目地幅が多少変わっても目地部材の両側を弾接させることができ、同じ目地部材を使用しても目地幅を変えることができ、また経年により隣り合う外装材の側端面の間の間隔が広くなっても目地部材の両側を側端面に弾接させることができて経年でも目隙が生じないようにできるという効果がある。
【発明を実施するための最良の形態】
【００１２】
以下、本発明を添付図面に示す実施形態に基いて説明する。
【００１３】
目地部材１は図３に示すように壁下地４の外面に取り付けるベース材２と、ベース材２に取り付ける目地材本体３とで構成されている。かかるベース材２は鉄板、アルミニウム等の金属板や、塩化ビニル樹脂、アクリル樹脂、ポリカーボネート等の樹脂にて形成されている。目地材本体３はポリスチレン、ポリエチレン、発泡樹脂等の樹脂や、シリコンゴム、アクリルニトリロ、ＥＰＤＭなどのゴム等で形成されている。
【００１４】
ベース材２は平板状の板体１３に一対の固定片１９を間隔をあけて相対向するように立設してあり、この一対の固定片１９間を受け溝９を形成してある。この固定片１９の先端には受け溝９内に向けて突出する被係止突起１２を設けてある。一対の固定片１９の先端には受け溝９の中央側に行くほど板体１３の方に近付く斜面１５を設けてある。
【００１５】
目地材本体３は断面山形の弾性表面板１４の背面の中央から一体に脚部８を突設してあり、脚部８の先端に三角状の尖状部１８を設けてある。脚部８の先端の手前には両側に突出するように拡張片１０を設けてあり、尖状部１８と拡張片１０との間で脚部８の両側には被係止突起１２が係止し得る係止突起１１を脚部８の突出する方向に複数個並べて設けてある。
【００１６】
外装材５は窯業系材料にて形成されており、表面に模様溝１６を凹設してある。この外装材５の左右両側の側端面６は傾斜面になっている。つまり、外装材５の側端面６は外装材５の表面側より外装材５の裏面側ほど中央に行くように傾斜している。この傾斜せる側端面６の外装材５の裏面に対する傾斜角度は４５〜６０°である。
【００１７】
壁下地４の外面に外装材５を貼る場合、左右に隣り合う外装材５の継目になる部分に目地部材１のベース材２をベース材２の長手方向が上下方向を向くように配置してベース材２を壁下地４に取着する。このベース材２を取り付けた後にベース材２に沿って目地材本体３を配置し、目地材本地３の脚部８をベース材２の受け溝９に挿入し、被係止突起１２と係止突起１１とを係止してベース材２に目地材本体３を取り付ける。このとき脚部８を受け溝９に浅く差し込んで脚部８の先端側の係止突起１１と被係止突起１２とを係止しておく。このように目地部材１を壁下地４に取り付けた状態で壁下地４の外面に外装材５を並べて貼るが、このとき隣り合う外装材５の側端面６間に所定の目地幅Ｗをあけ、目地材本体３の断面略山形の弾性表面板１４の両側の外面を側端面６に弾接させて図１（ａ）のように施工する。本例ではベース材２に先に目地材本体３を固定してから外装材５を貼る例について説明したが、壁下地４にベース材２を取り付けた後、壁下地４に外装材５を貼り、外装材５を貼った後に目地材本体３を圧入して取り付けることも可能である。
【００１８】
目地を施工するとき断面略山形の弾性表面板１４を傾斜した側端面６に弾接させる構造のために施工した当初の目地幅Ｗが多少変わっても（例えば５〜１０ｍｍ）対応でき、同じ目地部材１を用いても初期の目地幅Ｗが限定されない。また上記のように断面略山形の弾性表面板１４を傾斜した側端面６に弾接させる構造のため経年により目地幅Ｗが広がっても目隙を生じにくい。また断面略山形の弾性表面板１４の外面を傾斜した側端面６に弾接させる構造であるため、木口としての側端面６が露出せず、初期施工時の仕上がりのばらつきがなくなると共に施工前に外装材５の木口としての側端面６に防水処理をする必要がなくなる。また上記のように目地仕舞いすることにより外装材５の厚さが変わっても模様溝１６の深さが代わっても対応することができる。また本例の場合、目地部材１がベース材２と目地材本体３の２部材で構成されているため目地材本体３だけを交換することが可能となり、メンテナンスに対応することが可能となる。
【００１９】
上記のように目地を施工するが、経年により目地幅Ｗが広がったときに次のように対処することもできる。つまり、目地材本体３の弾性表面板１４を図１（ｂ）の矢印Ａのように押して目地材本体３の脚部８を受け溝９に深く押し込み、脚部８の先端と反対の係止突起１１に被係止突起１２を係止させる。このようにすると、拡張片１０の先端に弾性表面板１４の内面が当たって弾性表面板１４が外に広がるように弾性表面板１４が押し広げられ、確実に目隙が生じないように弾性表面板１４を外装材５の側端面６に弾接させることができる。
【００２０】
また図４、図５は目地部材１の他の例を示すものである。図４に示す例の場合、目地部材１の目地材本体３の弾性表面板１４の両側の端部から脚片８の突出方向と平行になるように突片１７を突設してある。この場合、ベース材２に目地材本体３を装着したとき、突片１７の先端がベース材２の板体１３に当たり、弾性表面板１４がより強く外装材５の側端面６に弾接される。図５に示す例の場合、目地部材１の目地材本体３の弾性表面板１４の両側の端部から先端ほど脚片８の先端に向かって突出する突片１７を突設してある。この場合も、ベース材２に目地材本体３を装着したとき、突片１７の先端が板体１３と固定片１４との間の内隅に当たり、弾性表面板１４がより強く外装材５の側端面６に弾接される。
【００２１】
またまた図６は他の例を示す。上記例では目地部材１はベース材２と目地材本体３との２部材で構成されたが、本例の場合、目地部材１がベース部２ａと、断面山形の弾性表面板１４ａと、ベース部２ａと弾性表面板１４ａとを連結する連結部８ａとを一体に設けて形成されている。この目地部材１の場合、目地部材１のベース部２ａを壁下地４に沿わせてベース部２ａを壁下地４に固定することにより壁下地４に目地部材１を取り付け、壁下地４に外装材５を貼ったとき目地部材１の弾性表面板１４ａの両側の外面を外装材５の側端面６に弾接させることができるようになっている。この場合も、傾斜させた側端面６に弾性表面板１４ａの両側を弾接させることになるので施工した当初の目地幅Ｗが多少変わっても（例えば５〜１０ｍｍ）対応でき、同じ目地部材１を用いても初期の目地幅Ｗが限定されない。また上記のように断面略山形の弾性表面板１４ａを傾斜した側端面６に弾接させる構造のため経年により目地幅Ｗが広がっても目隙を生じにくい。また断面略山形の弾性表面板１４ａの外面を傾斜した側端面６に弾接させる構造であるため、木口としての側端面６が露出せず、初期施工時の仕上がりのばらつきがなくなると共に施工前に外装材５の木口としての側端面６に防水処理をする必要がなくなる。また上記のように目地仕舞いすることにより外装材５の厚さが変わっても模様溝１６の深さが代わっても対応することができる。
【図面の簡単な説明】
【００２２】
【図１】本発明の実施の形態の一例の施工状態を示し、（ａ）は施工した直後の断面図、（ｂ）は経年後に目地材本体を押し込んだ状態の断面図である。
【図２】図１（ｂ）の状態の正面図である。
【図３】同上の目地部材の分解断面図である。
【図４】同上の他の例の目地部材の分解断面図である。
【図５】同上の他の例の目地部材の分解断面図である。
【図６】同上のさらに他の例の施工状態を示す断面図である。
【図７】一従来例の施工状態を示し、（ａ）は施工した直後の断面図、（ｂ）は経年後の断面図である。
【図８】他の従来例の施工状態を示し、（ａ）は施工した直後の断面図、（ｂ）は経年後の断面図である。
【符号の説明】
【００２３】
１  目地部材    
２  ベース材
３  目地材本体
４  壁下地
５  外装材
６  側端面
７  目地隙間
８  脚部
９  受け溝
１０  拡張片
１１  係止突起
１２  被係止突起
【図１】
2005133294.tif 000003
【図２】
2005133294.tif 000004
【図３】
2005133294.tif 000005
【図４】
2005133294.tif 000006
【図５】
2005133294.tif 000007
【図６】
2005133294.tif 000008
【図７】
2005133294.tif 000009
【図８】
2005133294.tif 000010